【手続補正書】
【提出日】平成16年8月6日(2004.8.6)
【手続補正１】
【補正対象書類名】明細書
【補正対象項目名】特許請求の範囲
【補正方法】変更
【補正の内容】
【特許請求の範囲】
【請求項１】
物体側より順に、正パワー・負パワーの２群ズームレンズであって、
第１レンズ群は、物体側より、負レンズ、負・正の接合レンズ、絞りからなる正パワーのレンズ群であり、
第２レンズ群は、負レンズ、正レンズ、負レンズからなる負パワーのレンズ群であり、
レンズの総枚数が６枚であることを特徴とするズームレンズ。
【請求項２】
物体側より順に、正パワー・負パワーの２群ズームレンズであって、
第１レンズ群は、物体側より、負パワー・正パワーの成分を有し、
第１レンズ群内に接合レンズを有し、
第１レンズ群の最も物体側のレンズは両凹レンズで、その像側面が非球面であり、
第２レンズ群内に正レンズを有し、その像面側には１枚のみの負レンズを有し、
以下の条件を満足することを特徴とするズームレンズ。
｜ｆ1 ／ｆw ｜＞１．３                                ・・・（１）
ここで、ｆ1 ：第１レンズ群の最も物体側のレンズの焦点距離、
ｆw ：ワイド端での全系の焦点距離、
である。
【請求項３】
前記第１レンズ群の最も物体側のレンズの物体側面が凹面であることを特徴とする請求項１又は２記載のズームレンズ。
【請求項４】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群の最も物体側のレンズの像側面が非球面であり、
第１レンズ群の最も像面側に、物体側より順に、負・正の接合レンズを有し、
以下の条件を満足することを特徴とするズームレンズ。
｜ｆ1 ／ｆw ｜＞１．３                                ・・・（１）
ここで、ｆ1 ：第１レンズ群の最も物体側のレンズの焦点距離、
ｆw ：ワイド端での全系の焦点距離、
である。
【請求項５】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群の最も像面側に、物体側より順に、負・正の接合レンズを有し、
明るさ絞りが第１レンズ群と一体として配置され、
第２レンズ群の最も物体側の面が非球面であり、
以下の条件を満足することを特徴とするズームレンズ。
｜（ｒ2 ＋ｒ1 ）／（ｒ2 −ｒ1 ）｜＜０．７            ・・・（２）
ここで、ｒ1 ：第１レンズ群の最も物体側のレンズの物体側面の曲率半径、
ｒ2 ：第１レンズ群の最も物体側のレンズの像側面の曲率半径、
である。
【請求項６】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群の最も物体側のレンズの像側面が非球面であり、
以下の条件を満足することを特徴とするズームレンズ。
｜ｆ1 ／ｆw ｜＞１．３                                ・・・（１）
ｎ1 ＞ｎc                                             ・・・（４）
ここで、ｆ1 ：第１レンズ群の最も物体側のレンズの焦点距離、
ｆw ：ワイド端での全系の焦点距離、
ｎ1 ：第１レンズ群の最も物体側のレンズの屈折率、
ｎc ：第１レンズ群の接合レンズの負レンズの屈折率、
である。
【請求項７】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、第１レンズ群内に接合レンズを有し、
第２レンズ群内に正レンズを有し、
以下の条件を満足することを特徴とするズームレンズ。
｜ｆ1 ／ｆw ｜＞１．３                                ・・・（１）
｜（ｒ2 ＋ｒ1 ）／（ｒ2 −ｒ1 ）｜＜０．７            ・・・（２）
ｎ1 ＞ｎc                                             ・・・（４）
ここで、ｆ1 ：第１レンズ群の最も物体側のレンズの焦点距離、
ｆw ：ワイド端での全系の焦点距離、
ｒ1 ：第１レンズ群の最も物体側のレンズの物体側面の曲率半径、
ｒ2 ：第１レンズ群の最も物体側のレンズの像側面の曲率半径、
ｎ1 ：第１レンズ群の最も物体側のレンズの屈折率、
ｎc ：第１レンズ群の接合レンズの負レンズの屈折率、
である。
【請求項８】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群の最も物体側のレンズは両凹レンズであり、
以下の条件を満足することを特徴とするズームレンズ。
｜ｆ1 ／ｆw ｜＞１．３                                ・・・（１）
ｎ1 ＞ｎc                                             ・・・（４）
ここで、ｆ1 ：第１レンズ群の最も物体側のレンズの焦点距離、
ｆw ：ワイド端での全系の焦点距離、
ｎ1 ：第１レンズ群の最も物体側のレンズの屈折率、
ｎc ：第１レンズ群の接合レンズの負レンズの屈折率、
である。
【請求項９】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群内の接合レンズの面の内、最も像面側の面の曲率半径が最も小さく、
以下の条件を満足することを特徴とするズームレンズ。
｜ｆ1 ／ｆw ｜＞１．３                                ・・・（１）
ここで、ｆ1 ：第１レンズ群の最も物体側のレンズの焦点距離、
ｆw ：ワイド端での全系の焦点距離、
である。
【請求項１０】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群内の接合レンズの面の内、最も像面側の面の曲率半径が最も小さく、
以下の条件を満足することを特徴とするズームレンズ。
ｎ1 ＞ｎc                                             ・・・（４）
ここで、ｎ1 ：第１レンズ群の最も物体側のレンズの屈折率、
ｎc ：第１レンズ群の接合レンズの負レンズの屈折率、
である。
【請求項１１】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
レンズの総枚数が６枚以下であり、
以下の条件を満足することを特徴とするズームレンズ。
｜（ｒ2 ＋ｒ1 ）／（ｒ2 −ｒ1 ）｜＜０．７            ・・・（２）
ｎ1 ＞ｎc                                             ・・・（４）
ここで、ｒ1 ：第１レンズ群の最も物体側のレンズの物体側面の曲率半径、
ｒ2 ：第１レンズ群の最も物体側のレンズの像側面の曲率半径、
ｎ1 ：第１レンズ群の最も物体側のレンズの屈折率、
ｎc ：第１レンズ群の接合レンズの負レンズの屈折率、
である。
【請求項１２】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群内に、物体側より順に、負・正の接合レンズを有し、
レンズの総枚数が６枚以下であり、
以下の条件を満足することを特徴とするズームレンズ。
ν1 ＞３６                                            ・・・（３）
ここで、ν1 ：第１レンズ群の最も物体側のレンズのアッベ数、
である。
【請求項１３】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群内の接合レンズの面の内、最も像面側の面の曲率半径が最も小さく、
レンズの総枚数が６枚以下であることを特徴とするズームレンズ。
【請求項１４】
物体側より順に、正パワー・負パワーの２群ズームレンズであって、
第１レンズ群は、物体側より、負パワー・正パワーの成分を有し、
第１レンズ群の最も物体側のレンズの物体側面が凹面で、
第１レンズ群内に接合レンズを有し、
第２レンズ群内に正レンズを有し、
第１レンズ群の最も像面側に、物体側より順に、負・正の接合レンズを有し、
明るさ絞りが第１レンズ群と一体として配置され、
第１レンズ群内の接合レンズの面の内、最も像面側の面の曲率半径が最も小さいことを特徴とするズームレンズ。
【請求項１５】
物体側より順に、正パワー・負パワーの２群ズームレンズであって、
物体側より、負レンズ、負・正の接合レンズ、絞りからなる正パワーの第１レンズ群と、
負レンズ、正レンズ、負レンズからなる負パワーの第２レンズ群とからなり、
レンズの総枚数が６枚であることを特徴とするズームレンズ。
【請求項１６】
物体側より順に、正パワー・負パワーの２群ズームレンズであって、
物体側より、負レンズ、負・正の接合レンズ、絞りからなる正パワーの第１レンズ群と、
負レンズ、正レンズ、負レンズからなる負パワーの第２レンズ群とからなり、
レンズの総枚数が６枚であり、
第１レンズ群の最も物体側のレンズの像側面が非球面であり、
第１レンズ群の最も像面側に、物体側より順に、負・正の接合レンズを有し、
以下の条件を満足することを特徴とするズームレンズ。
｜ｆ1 ／ｆw ｜＞１．３                                ・・・（１）
ここで、ｆ1 ：第１レンズ群の最も物体側のレンズの焦点距離、
ｆw ：ワイド端での全系の焦点距離、
である。
【請求項１７】
物体側より順に、正パワー・負パワーの２群ズームレンズであって、
物体側より、負レンズ、負・正の接合レンズ、絞りからなる正パワーの第１レンズ群と、
負レンズ、正レンズ、負レンズからなる負パワーの第２レンズ群とからなり、
レンズの総枚数が６枚であり、
第１レンズ群内の接合レンズの面の内、最も像面側の面の曲率半径が最も小さいことを特徴とするズームレンズ。
【請求項１８】
請求項１〜１７の何れか１項記載のズームレンズを撮影用光学系として配置したことを特徴とするカメラ装置。
【請求項１９】
請求項１〜１７の何れか１項記載のズームレンズを撮影用光学系として配置すると共に、前記撮影用光学系により形成される物体像を受光する位置に電子撮像素子を配置してなることを特徴とする電子カメラ装置。